(57)【要約】      （修正有）【課題】平坦状の包装袋を開封用のカッティングラインに沿って切り裂き開封した後の開封部の前面フィルムと後面フィルムとの切り裂きラインを不揃いにすることにより、その開封部の前面フィルムと後面フィルムとの分離を容易して、開封部を開口し易くした易開封性軟質包装袋を提供する。【解決手段】二つ折り又は二枚重ねの重ね合わせプラスチックフィルム材１、２の周囲にヒートシール部を設けて製袋された軟質包装袋の一端部のヒートシール部より内側のカッティングラインＣに沿うように容易に切り破り開封可能な易開封性軟質包装袋において、前記重ね合わせプラスチックフィルム材１、２のうちの一方のフィルム材の外面又は内面に、切り破り開封方向に延伸された延伸フィルムによる直線切り破り性フィルム材８を積層接着した。【選択図】図１
2007069971.tif 000002
【特許請求の範囲】
【請求項１】
二つ折り又は二枚重ねの重ね合わせプラスチックフィルム材の周囲にヒートシール部を設けて製袋された軟質包装袋の一端部のヒートシール部より内側のカッティングラインに沿うように、容易に切り破り開封可能な易開封性軟質包装袋において、前記重ね合わせプラスチックフィルム材のうちのいずれか一方のフィルム材の外面又は重ね合わせ内面に少なくとも切り破り開封方向に延伸された延伸フィルムによる直線切り破り性フィルム材が前記カッティングライン上に沿って所定幅に積層接着されていることを特徴とする易開封性軟質包装袋。
【請求項２】
請求項１記載の易開封性軟質包装袋において、前記重ね合わせプラスチックフィルム材が、一軸若しくは二軸の延伸フィルムであることを特徴とする易開封性軟質包装袋。
【請求項３】
請求項１記載の易開封性軟質包装袋において、前記重ね合わせプラスチックフィルム材が、無延伸フィルムと一軸若しくは二軸の延伸フィルムとのラミネートフィルムであることを特徴とする易開封性軟質包装袋。
【請求項４】
請求項１乃至３のいずれか１項記載の易開封性軟質包装袋であって、積層接着した前記フィルム材より包装袋内側における両方のフィルム材の重ね合わせ内面に、再封用のテープ状ジッパーが装着されていることを特徴とする易開封性軟質包装袋。
【請求項５】
請求項１乃至４のいずれか１項記載の易開封性軟質包装袋であって、前記カッティングライン両端部にある両ヒートシール部のうちのいずれか一方又は両方のヒートシール部の外端縁に、ｖの字状、直線状の切破用の切込部が形成されていることを特徴とする易開封性軟質包装袋。
【請求項６】
請求項１乃至５のいずれか１項記載の易開封性軟質包装袋であって、前記直線切り破り性フィルム材が、少なくとも切り破り開封方向を長手方向とするテープ状フィルム材であることを特徴とする易開封性軟質包装袋。
【発明の詳細な説明】
【技術分野】
【０００１】
本発明は、軟質包装フィルムにより製袋された軟質包装袋において、切り裂き開封が容易な易開封性軟質包装袋に関する。
【背景技術】
【０００２】
一般に軟質包装フィルム材料により製袋される包装袋（パウチ）としては、二つ折りしたり２枚重ねにして、重ね合わせた矩形状の軟質包装フィルム材料の側端部と上下端部のうちいずれか一端部との二方周囲又は両側端部と上下端部のうちいずれか一端部との三方周囲をヒートシールして製袋した内容物収容部を囲むようにトップシール部、両サイドシール部、ボトムシール部を備えた平坦状の包装袋がある。
【０００３】
また、２枚重ねにして重ね合わせた矩形状の軟質包装フィルム材料の下端部の内面に、該軟質包装フィルム材料の両側端部に対して直交する方向に折目を有する二つ折りした底部フィルムを、そのフィルムの開放端が下端になるように介在させ、該軟質包装フィルム材料の両側端部と上下端部のうちいずれか一端部との三方周囲を、前記二つ折りした底部フィルムの開放端はヒートシールされないようにヒートシールして製袋した内容物収容部を囲むようにトップシール部、両サイドシール部、二つ折りした底部フィルムが開放する自立可能なボトムシール部を備えたスタンディング形式の包装袋がある。
【０００４】
このような形態の包装袋は、ヒートシールされた周囲シール部から、その周囲シール部の内側の内容物を包装した包装収納部分に亘って、前後２枚の軟質包装フィルム材料により構成されているため、周囲シール部のうち、一側端のサイドシール部又は両側端のサイドシール部のトップシール部に近接する側の一部に、切り裂き開封用の切込部（ノッチ）を設けるだけで、開封する際は、この切込部から２枚のフィルム材料をトップシール部に平行な方向にカッティングラインに沿って切り裂くことにより、容易に開封することができ容易開封性の包装袋となっている。
【０００５】
また、このような容易開封性の包装袋には、切り裂き開封した後に、再度封止できるように、トップシール部に平行なカッティングラインより袋の内側に、該カッティングラインに平行に再封用のテープ状のジッパーを設けたものがある。
【発明の開示】
【発明が解決しようとする課題】
【０００６】
ところで、このような包装袋を構成する二つ折り又は２枚重ねにした重ね合わせフィルムの前面フィルムと後面フィルムの２枚のフィルム材を、トップシール部に平行に切込部からカッティングラインに沿って切り裂き開封した場合には、その開封した前面フィルムと後面フィルムの各々切り裂き開封後の切り裂きエッジラインが直線状にきれいに揃い、外観的には見栄えが良い開封部となる。
【０００７】
しかしながら、上記のような容易開封性包装袋のトップシール部近傍のカッティングラインに沿った包装袋の形状は略平坦状であるために、その前面フィルムと後面フィルムとが互いに密接し合っていて、切り裂きエッジラインが、きれいに揃っている場合には、前面フィルムと後面フィルムのそれぞれ切り裂きラインにて、前面フィルムと後面フィルムとを分離することが難しく、包装袋を開口しずらい場合がある。
【０００８】
また、特に、カッティングラインに平行に再封用のテープ状のジッパーを設けた包装袋の場合には、カッティングラインに沿って切り裂き開封した後に、ジッパーにて再封され
た状態の開封部の前面フィルムと後面フィルムとは、ジッパーにて封鎖された状態で互いに密接し合っている。そのために、前面フィルムと後面フィルムのそれぞれ切り裂きエッジラインが、きれいに揃っている場合には、その前面フィルムと後面フィルムのそれぞれ切り裂きラインにて前面フィルムと後面フィルムとを分離することが、より難しく、開口しずらい場合がある。
【０００９】
本発明の課題は、上記問題点を解消することにあり、包装袋を開封用のカッティングラインに沿って切り裂き開封した後の開封部の前面フィルムと後面フィルムとの切り裂きラインを不揃いにすることにより、その開封部の前面フィルムと後面フィルムとの分離を容易して、開封部を開口し易くした易開封性軟質包装袋を提供することにある。
【課題を解決するための手段】
【００１０】
本発明の請求項１に係る発明は、二つ折り又は二枚重ねの重ね合わせプラスチックフィルム材の周囲にヒートシール部を設けて製袋された軟質包装袋の一端部のヒートシール部より内側のカッティングラインに沿うように、容易に切り破り開封可能な易開封性軟質包装袋において、前記重ね合わせプラスチックフィルム材のうちのいずれか一方のフィルム材の外面又は重ね合わせ内面に少なくとも切り破り開封方向に延伸された延伸フィルムによる直線切り破り性フィルム材が前記カッティングライン上に沿って所定幅に積層接着されていることを特徴とする易開封性軟質包装袋である。
【００１１】
本発明の請求項２に係る発明は、上記請求項１に係る易開封性軟質包装袋において、前記重ね合わせプラスチックフィルム材が、一軸若しくは二軸の延伸フィルムであることを特徴とする易開封性軟質包装袋である。
【００１２】
本発明の請求項３に係る発明は、上記請求項１に係る易開封性軟質包装袋において、前記重ね合わせプラスチックフィルム材が、無延伸フィルムと一軸若しくは二軸の延伸フィルムとのラミネートフィルムであることを特徴とする易開封性軟質包装袋である。
【００１３】
本発明の請求項４に係る発明は、上記請求項１乃至３のいずれか１項に係る易開封性軟質包装袋であって、積層接着した前記フィルム材より包装袋内側における両方のフィルム材の重ね合わせ内面に、再封用のテープ状ジッパーが装着されていることを特徴とする易開封性軟質包装袋である。
【００１４】
本発明の請求項５に係る発明は、上記請求項１乃至４のいずれか１項に係る易開封性軟質包装袋であって、前記カッティングライン両端部にある両ヒートシール部のうちのいずれか一方又は両方のヒートシール部の外端縁に、ｖの字状、直線状の切破用の切込部が形成されていることを特徴とする易開封性軟質包装袋である。
【００１５】
本発明の請求項６に係る発明は、上記請求項１乃至５のいずれか１項に係る易開封性軟質包装袋であって、前記直線切り破り性フィルム材が、少なくとも切り破り開封方向を長手方向とするテープ状フィルム材であることを特徴とする易開封性軟質包装袋である。
【発明の効果】
【００１６】
本発明の易開封性軟質包装袋は、二つ折り又は二枚重ねした重ね合わせプラスチックフィルム材１、２のうちの一方のフィルム材、例えばフィルム材１の外面又は内面に、切り破り開封方向（カッティングライン方向）に延伸加工された延伸フィルムによる直線切り破り性のフィルム材が積層接着されているものである。
【００１７】
それによって、包装袋を構成する前面フィルム材としての直線切り破り性フィルム材が積層接着された一方のフィルム材１と、後面フィルム材としての他方のフィルム材２は、
それぞれフィルム延伸性の異なるフィルム材となる。そのために、本発明の包装袋をカッティングラインに沿って切り裂き開封した際には、切り破り開封方向（カッティングライン方向）に延伸された延伸フィルムによる直線切り破り性フィルム材が積層接着された一方のフィルム材１（前面フィルム材）の切り裂きラインは、そのカッティングラインＣに沿った規則的な直線ライン状にカッティングされる。
【００１８】
ところが、他方のフィルム材２（後面フィルム材）には、直線切り破り性フィルム材が積層接着されていないため、切り裂きラインの形状が直線ライン状にならず、ジグザグ状や波線状、あるいは曲線状等の蛇行した不規則なライン形状になる。
【００１９】
このように、本発明の易開封性軟質包装袋を構成する二つ折り又は２枚重ねにした重ね合わせフィルムの前面フィルムと後面フィルムの２枚のフィルム材を、カッティングラインに沿って切り裂き開封した場合には、その開封した前面フィルムと後面フィルムの各々切り裂き開封後の切り裂きラインは、一方が直線ライン状、他方が不規則ライン状となって不揃いになる。
【００２０】
そのために、カッティングラインに沿う形状が平坦状の包装袋の前面フィルムと後面フィルムとが互いに密接し合っていても、切り裂きエッジラインが揃っていないために、その前面フィルムと後面フィルムのそれぞれ切り裂きエッジのうち、一方のエッジを、指先にて他方の切り裂きエッジから分離し易くすることができ、切り裂き開封後の包装袋の開封部を開口し易くする効果が発生する。
【００２１】
特に、カッティングラインに平行に再封用のテープ状のジッパーを設けた包装袋の場合には、カッティングラインに沿って切り裂き開封した後の包装袋がジッパーにて再封された状態のために、開封部の前面フィルムと後面フィルムがジッパーにて封鎖された状態で互いに密接し合っている。
【００２２】
このような場合にも、切り裂き開封した後の包装袋の切り裂きエッジラインが揃っていないために、前面フィルムと後面フィルムのそれぞれ切り裂きラインにて、その前面フィルムと後面フィルムのいずれか一方のフィルムの切り裂きエッジを、指先にて、他方の切り裂きエッジ部分から分離し易くすることができ、切り裂き開封後の包装袋の開封部を開口し易くする効果が発生する。
【発明を実施するための最良の形態】
【００２３】
本発明の易開封性軟質包装袋を、実施の形態に沿って以下に詳細に説明する。
【００２４】
図１（ａ）は本発明の請求項１に係る包装袋の一例を説明する側断面図、（ｂ）はその平面図である。二つ折りして重ね合わせた重ね合わせプラスチックフィルム材１、２、又は二枚のプラスチックフィルム材を重ね合わせた重ね合わせプラスチックフィルム材１、２の周囲に、トップヒートシール部３、サイドシール部３、３、ボトムシール部４を設けて製袋された軟質包装袋Ａである。なお、二つ折りした重ね合わせプラスチックフィルム材１、２を使用した場合には、対向する両側のサイドヒートシール部３、３のうちいずれか一方のサイドヒートシール部３は、該フィルム材の二つ折りの折目となる閉鎖端部となるので、サイドヒートシール部を省略してもよい。
【００２５】
図１（ａ）に示すように、軟質包装袋Ａは、トップヒートシール部３と、ボトムヒートシール部４と、内容物収容部５と、カッティングライン形成部６とを備え、図１（ｂ）に示すように、軟質包装袋Ａは、その一端部のトップヒートシール部３より内側のカッティングラインＣに沿って容易に切り破り開封可能な包装袋となっている。
【００２６】
軟質包装袋Ａを構成する前記重ね合わせプラスチックフィルム材１、２のうち、例えば一方のフィルム材１の外面には、図１（ａ）のＭ部分、及び図３に示すＭ部分の拡大側断面図に示すように、少なくともカッティングラインＣに沿う方向の切り破り開封方向に延伸された延伸フィルムによる直線切り破り性フィルム材８がカッティングラインＣ上に沿って、カッティングライン形成部６に、所定幅に積層接着している。
【００２７】
なお、軟質包装袋Ａを構成するプラスチックフィルム材の基材フィルムには、一軸方向若しくは二軸方向に延伸された延伸フィルム、又は一軸方向若しくは二軸方向に延伸された延伸フィルムと無延伸フィルムとのラミネートフィルムが使用される。また、軟質包装袋Ａを構成するプラスチックフィルム材としては、ポリエチレン、ポリプロピレン、ポリエチレンテレフタレート等の単一のプラスチック材料によるプラスチックフィルム、あるいは、これらプラスチックフィルム層、紙層、アルミニウム等の金属箔層、金属蒸着層、無機酸化物蒸着層（ガスバリア層）などのうち、いずれかの層を積層した複合材料によるプラスチックフィルムが使用できる。
【００２８】
図２（ａ）は、本発明の請求項１に係る包装袋の他の例を説明する側断面図、（ｂ）はその平面図であり、二つ折りした重ね合わせプラスチックフィルム材１、２、又は二枚のプラスチックフィルム材を重ね合わせた重ね合わせプラスチックフィルム材１、２の周囲に、トップヒートシール部３、対向するサイドシール部３、３、ボトムシール部４を設けて製袋された軟質包装袋Ａである。
【００２９】
図２（ａ）に示すように、軟質包装袋Ａは、トップヒートシール部３と、ボトムヒートシール部４と、内容物収容部５と、カッティングライン形成部６とを備え、図２（ｂ）に示すように、軟質包装袋Ａは、その一端部のトップヒートシール部３より内側のカッティングラインＣに沿って容易に切り破り開封可能な包装袋となっている。
【００３０】
上記軟質包装袋Ａを構成する前記重ね合わせプラスチックフィルム材１、２のうち、例えば一方のフィルム材２の内面には、図２（ａ）のＭ部分、及び図４に示すＭ部分の拡大側断面図に示すように、少なくともカッティングラインＣに沿う方向の切り破り開封方向に延伸された延伸フィルムによる直線切り破り性フィルム材８が、カッティングラインＣ上に沿って、カッティングライン形成部６に、所定幅に積層接着している。
【００３１】
本発明の請求項３に係る軟質包装袋Ａの一例としては、図２（ａ）〜（ｂ）に示した包装袋と同様であるが、前記重ね合わせプラスチックフィルム材１、２の両方のフィルム材には、少なくとも切り破り開封方向に延伸された延伸フィルムが使用されており、該フィルム材１、２のうちのいずれか一方のフィルム材、例えば、図２（ａ）のＭ部分、及び図４に示すＭ部分拡大側断面図に示すように、フィルム材２の重ね合わせ内面には、無延伸フィルムによるフィルム材８が、カッティングラインＣ上に沿って、カッティングライン形成部６に、所定幅に積層接着されているものである。
【００３２】
図５（ａ）は、本発明の請求項４に係る包装袋の一例を説明する側断面図、（ｂ）はその平面図、図７は部分拡大側断面図であり、上記の請求項１〜３に係る各々軟質包装袋Ａにおいて、その重ね合わせフィルム材１、２の内面に、直線切り破り性フィルム材８を外面に積層接着したカッティングライン形成部６より袋内側に隣接して、カッティングラインＣに平行な再封用のジッパー部１０を設けた軟質包装袋Ａの一例である。
【００３３】
図５（ａ）のＭ部分、及び図６に示すＭ部分拡大側断面図に示すように、ジッパー部１０は、プラスチックフィルム材に対して加熱融着可能なプラスチック製の凸型ジッパー部１１と凹型ジッパー部１２とからなり、テープ状の形状を呈している。この再封用のジッパー部１０は、凸型ジッパー部１１の凸部１１ａと、凹型ジッパー部１２の凹部１２ａと
を互いに対向させて、重ね合わせプラスチックフィルム材１、２のそれぞれ重ね合わせ内面に融着して接合することにより形成したものである。
【００３４】
前記凸型ジッパー部１１の凸部１１ａと凹型ジッパー部１２の柔軟に開口する凹部１２ａとは密に嵌合することができ、これにより、包装袋Ａのトップヒートシール部３をカッティングラインＣに沿って切り裂き、開封した包装袋Ａのトップヒートシール部３側の切り裂き開封部を再封できるようになっている。
【００３５】
図７は、上記の請求項１〜３に係る各々軟質包装袋Ａの重ね合わせフィルム材１、２の内面に、カッティングライン形成部６より袋内側に隣接して、カッティングラインＣに平行に、再封用ジッパー部１０を設けた上記請求項４に係る軟質包装袋Ａの他の例である。重ね合わせフィルム材１、２の内面に積層接着された直線切り破り性フィルム材８に隣接して、再封用ジッパー部１０の凸型ジッパー部１１が設けられている。
【００３６】
図８は、再封用ジッパー部１０を設けた上記請求項４に係る軟質包装袋Ａのその他の例であり、重ね合わせフィルム材１、２の内面に積層接着された直線切り破り性フィルム材８が、再封用ジッパー部１０の凸型ジッパー部１１に延長して連続して設けられているものである。
【００３７】
本発明の軟質包装袋Ａにおいては、図１（ｂ）、図２（ｂ）、図５（ｂ）のそれぞれ平面図に示すように、前記カッティングラインＣの両端部にある両サイドヒートシール部３、３のうち、いずれか一方又は両方のヒートシール部３の外端縁には、Ｖの字状、あるいは直線状（Ｉの字状）等の適宜な形態の切破用の切込部７が形成されている。
【００３８】
また、本発明の軟質包装袋Ａにおいては、両方の重ね合わせフィルム材１、２のうち、いずれか一方又は両方のフィルム材の重ね合わせ内面に積層接着された前記直線切り破り性フィルム材８は、切り破り開封方向を長手方向とするテープ状のフィルム材となっていて、切り破り開封方向に沿って積層接着されているものである。
【００３９】
このように、本発明の易開封性軟質包装袋は、二つ折り又は二枚重ねした重ね合わせプラスチックフィルム材１、２のうちの一方のフィルム材、例えばフィルム材１の外面又は内面に、切り破り開封方向（カッティングライン方向）に延伸加工された延伸フィルムによる直線切り破り性のフィルム材が積層接着されているものである。
【００４０】
それによって、包装袋を構成する前面フィルム材としての直線切り破り性フィルム材が積層接着された一方のフィルム材１と、後面フィルム材としての他方のフィルム材２は、それぞれフィルム延伸性の異なるフィルム材となる。
【００４１】
そのために、本発明の包装袋をカッティングラインに沿って切り裂き開封した際には、切り破り開封方向（カッティングライン方向）に延伸された延伸フィルムによる直線切り破り性フィルム材が積層接着された一方のフィルム材１（前面フィルム材）の切り裂きラインは、そのカッティングラインＣに沿った規則的な直線ライン状にカッティングされるものである。
【００４２】
ところが、他方のフィルム材２（後面フィルム材）には、直線切り破り性フィルム材が積層接着されていないため、切り裂きラインの形状が直線ライン状にならず、ジグザグ状や波線状、あるいは曲線状等の蛇行した不規則なライン形状になる。
【００４３】
このように、本発明の易開封性軟質包装袋を構成する二つ折り又は２枚重ねにした重ね合わせフィルムの前面フィルムと後面フィルムの２枚のフィルム材を、カッティングライ
ンに沿って切り裂き開封した場合には、その開封した前面フィルムと後面フィルムの各々切り裂き開封後の切り裂きラインは、一方が直線ライン状、他方が不規則ライン状となって不揃いになる。
【００４４】
そのために、カッティングラインに沿う形状が平坦状の包装袋の前面フィルムと後面フィルムとが互いに密接し合っていても、切り裂きエッジラインが揃っていないために、その前面フィルムと後面フィルムのそれぞれ切り裂きエッジのうち、一方のエッジを、指先にて他方の切り裂きエッジから分離し易くすることができ、切り裂き開封後の包装袋の開封部を開口し易くする効果が発生するものである。
【００４５】
特に、カッティングラインに平行に再封用のテープ状のジッパーを設けた包装袋の場合には、カッティングラインに沿って切り裂き開封した後の包装袋がジッパーにて再封された状態のために、開封部の前面フィルムと後面フィルムがジッパーにて封鎖された状態で互いに密接し合っている。このような場合にも、切り裂き開封した後の包装袋の切り裂きエッジラインが揃っていないために、前面フィルムと後面フィルムのそれぞれ切り裂きラインにて、その前面フィルムと後面フィルムのいずれか一方のフィルムの切り裂きエッジを、指先にて、他方の切り裂きエッジ部分から分離し易くすることができ、切り裂き開封後の包装袋の開封部を開口し易くすることができる。
【図面の簡単な説明】
【００４６】
【図１】（ａ）は本発明の易開封製軟質包装袋の一例の側断面図、（ｂ）はその平面図。
【図２】（ａ）は本発明の易開封製軟質包装袋の他の例の側断面図、（ｂ）はその平面図。
【図３】本発明の易開封製軟質包装袋のその他の例の側断面図。
【図４】本発明の易開封製軟質包装袋の部分拡大側断面図。
【図５】本発明の易開封製軟質包装袋の部分拡大側断面図。
【図６】（ａ）は本発明の易開封製軟質包装袋における再封用ジッパーを設けた例の側断面図、（ｂ）はその平面図。
【図７】本発明の易開封製軟質包装袋における再封用ジッパーを設けた包装袋の一例の拡大側断面図。
【図８】本発明の易開封製軟質包装袋における再封用ジッパーを設けた包装袋の他の例の拡大側断面図。
【図９】本発明の易開封製軟質包装袋における再封用ジッパーを設けた包装袋のその他の例の拡大側断面図。
【符号の説明】
【００４７】
１…フィルム材（前面フィルム）
２…フィルム材（後面フィルム）
３…トップヒートシール部（又はサイドシール部）
４…ボトムヒートシール部
５…内容物収容部
６…カッティングライン形成部
７…カッティング用切込部
８…直線切り破り性フィルム材
１０…再封用ジッパー部
【図１】
2007069971.tif 000003
【図２】
2007069971.tif 000004
【図３】
2007069971.tif 000005
【図４】
2007069971.tif 000006
【図５】
2007069971.tif 000007
【図６】
2007069971.tif 000008
【図７】
2007069971.tif 000009
【図８】
2007069971.tif 000010
【図９】
2007069971.tif 000011